(57)【要約】【課題】使用者の利便性を向上すると共に、通常撮影時でのライトガイドの誤装着を防止する撮像装置を提供する。【解決手段】被写体を照明する少なくとも１つの照明手段１１１，１１２，１１３と、特定の照明手段１１２の照明範囲を変化させるように装置本体に着脱可能に構成された導光手段の着脱状態を検出する検出手段１１４と、検出手段１１４からの信号により装置本体の動作を制御する制御手段１０６とを備える。【選択図】      図１
2006011264.tif 000002
【特許請求の範囲】
【請求項１】
被写体を照明する少なくとも１つの照明手段と、特定の前記照明手段の照明範囲を変化させるように装置本体に着脱可能に構成された導光手段の着脱状態を検出する検出手段と、前記検出手段からの信号により前記装置本体の動作を制御する制御手段とを備えたことを特徴とする撮像装置。
【請求項２】
複数の前記照明手段を持ち、前記制御手段は前記検出手段からの信号に応じて、所定の照明手段を発光禁止とすることを特徴とする請求項１記載の撮像装置。
【請求項３】
映像信号の記録中に発光するタリーランプを有し、前記検出手段からの信号により前記制御手段は前記タリーランプを発光禁止とすることを特徴とする請求項２記載の撮像装置。
【請求項４】
撮影モードに応じて、前記制御手段によりズーム範囲およびフォーカス範囲を変更することを特徴とする請求項１〜３のいずれか１項記載の撮像装置。
【請求項５】
撮影モードに応じて、前記制御手段により電子ズームおよび光学ズームの動作範囲を変更することを特徴とする請求項４記載の撮像装置。
【請求項６】
前記装置本体に表示装置を持ち、前記導光手段が装着されていることを前記表示装置に表示することを特徴とする請求項１〜５のいずれか１項記載の撮像装置。
【発明の詳細な説明】
【技術分野】
【０００１】
本発明は、照明手段を持つ撮像装置に関する。
【背景技術】
【０００２】
図７は、ビデオカメラの外観を示す図である。図において、５０１はレンズ、５０５はＬＣＤモニタ、５１１はフラッシュ照明装置、５１２はＬＥＤ照明装置、５１３はタリーランプである。
【０００３】
このように近年、フラッシュ照明とＬＥＤ照明等の複数の照明装置を持つビデオカメラが提案されている。フラッシュ照明は短時間で強い発光が可能であり、静止画像の撮影に適している。また、ＬＥＤ照明は連続発光が可能であり、動画像の撮影に適している。このように複数の照明装置を持つビデオカメラでは、状況に応じて照明装置を使い分けている。
【０００４】
図８は、近接撮影における撮影範囲と照明範囲のズレを説明するための図である。図７のビデオカメラでは、ＬＥＤ照明装置５１２とレンズ５０１の位置関係により、撮影範囲と照明範囲とにズレが生じる。特に近接撮影では、図８に示すように撮影範囲５２１と照明範囲５２２のズレが大きくなり、適切な照明効果を得ることが困難である。
【０００５】
この問題の解決のために、従来のカメラではアクセサリーのリング状発光装置を取り付けることで、上記問題を解決している例が多くある。
図９は着脱方式のリング状発光装置を示す図であり、リング状発光装置６１１ａをレンズ鏡筒６１０ａに装着し、リング状発光装置６１１ａを発光させて撮影を行う。カメラ本体６１０に装着されたライト本体６１１ｂに発光コントロール回路が内蔵されており、リング状発光装置６１１ａはケーブル６１１ｃで接続されている。この提案によれば、カメラ本体を大型化することなく、近接撮影時の照明範囲と撮影映像範囲のズレをなくしている。
【０００６】
また、特許文献１に開示されたカメラでは、図１０に示すように近接用ライトガイドを本体に内蔵し、レンズの周囲から照明を行うようにしている。図１０において、１はカメラ本体、２はレンズ、３はフラッシュ発光部、４は反射板、５はライトガイド、６は接眼部である。図１０（ａ）は通常撮影時の断面図、（ｂ）は近接撮影時の断面図であり、反射板４を収納位置４Ａから４Ｂの位置へ回動しフラッシュ発光部３の光をライトガイド５ａへ入射させ、照射部５ｂから照明する。
【０００７】
【特許文献１】特開平８−４３８８７号公報
【発明の開示】
【発明が解決しようとする課題】
【０００８】
しかしながら、上述した従来例にあっては以下のような問題点があった。すなわち、先ず図９の例のように光源が内蔵されているリング状発光装置では、装置が大型化せざるを得ず、使い勝手が悪い。また、図１０の例のように近接用ライトガイドを本体に内蔵すると、レンズ周囲部が大型化してしまう。
【０００９】
そこで、本発明は上述した従来技術の有する問題点に鑑みてなされたものであり、その第一の目的は、小型のライトガイドを着脱式とし、さらにライトガイドの装着時の各種動作を自動的に制御することで、使用者の利便性を向上しようとするものである。また、本発明の第二の目的は、ライトガイドの装着中であることを使用者に分かり易く知らせることにより、通常撮影時でのライトガイドの誤装着を防ぐことにある。
【課題を解決するための手段】
【００１０】
本発明の撮像装置は、被写体を照明する少なくとも１つの照明手段と、特定の前記照明手段の照明範囲を変化させるように装置本体に着脱可能に構成された導光手段の着脱状態を検出する検出手段と、前記検出手段からの信号により前記装置本体の動作を制御する制御手段とを備えたことを特徴とする。
【００１１】
また、本発明の撮像装置において、複数の前記照明手段を持ち、前記制御手段は前記検出手段からの信号に応じて、所定の照明手段を発光禁止とすることを特徴とする。
【００１２】
また、本発明の撮像装置において、映像信号の記録中に発光するタリーランプを有し、前記検出手段からの信号により前記制御手段は前記タリーランプを発光禁止とすることを特徴とする。
【００１３】
また、本発明の撮像装置において、撮影モードに応じて、前記制御手段によりズーム範囲およびフォーカス範囲を変更することを特徴とする。
【００１４】
また、本発明の撮像装置において、撮影モードに応じて、前記制御手段により電子ズームおよび光学ズームの動作範囲を変更することを特徴とする。
【００１５】
また、本発明の撮像装置において、前記装置本体に表示装置を持ち、前記導光手段が装着されていることを前記表示装置に表示することを特徴とする。
【発明の効果】
【００１６】
本発明によれば、小型の導光手段としてのライトガイドを着脱式とし、さらに近接撮影用ライトガイドの装着時の各種動作を自動的に制御することで、使用者の利便性が格段に向上する。また、近接撮影用ライトガイドの装着中であることを表示装置に表示して、使用者に分かり易く知らせることで、通常撮影時でのライトガイドの誤装着を防ぐことが可能となる。
【発明を実施するための最良の形態】
【００１７】
以下、本発明による撮像装置の好適な実施の形態を、図面に基づき説明する。
図１は本実施の形態の概略構成を示すブロック図であり、１０１は撮影レンズ群、１０２は撮像素子、１０３はカメラ信号処理部、１０４はＯＳＤ（オンスクリーンディスプレイ）合成部、１０５はＬＣＤモニタ、１０６は制御用マイクロコンピュータ（以下、制御マイコンという）、１０７は記録部、１０８は操作スイッチ、１０９はズームスイッチ、１１０は撮影記録スイッチ（レリーズスイッチ）、１１１はフラッシュ照明装置、１１２はＬＥＤ照明装置、１１３はタリーランプ装置、１１４はライトガイド検出部である。
【００１８】
撮影レンズ群１０１を介して被写体像が撮像素子１０２の受光面上に結像される。この撮像素子１０２は、被写体像に応じた電気信号を出力し、この電気信号は、カメラ信号処理部１０３に入力される。このカメラ信号処理部１０３においては、上記電気信号が所定形態の映像信号に変換され、さらにＯＳＤ合成部１０４で各種表示が合成されて、ＬＣＤモニタ１０５に入力される。ＬＣＤモニタ１０５には映像信号が可視像として表示される。記録部１０７では、入力された映像信号をメモリカードやテープ、ディスク等の記録媒体へ記録する。
【００１９】
撮影者はＬＣＤモニタ１０５で、撮影する像を確認しつつ操作スイッチ１０８を操作する。この操作スイッチ１０８の操作内容を示すデータは制御マイコン１０６により、具体的な処理内容を示すコマンドにブレークダウンされた後、装置各部に供給される。例えば、ズーム操作スイッチ１０９を操作すると、制御マイコン１０６から、撮影レンズ群１０１へズームレンズを動かす指示が行われ、これを受けて撮影レンズ群１０１はズーム動作を行う。また、撮影記録スイッチ（レリーズスイッチ）１１０を操作すると、制御マイコン１０６から、記録部１０７へ記録の指示が行われ、これを受けて記録部１０７は映像信号を記録する。記録中には、制御マイコン１０６からの指示により、タリーランプ装置１１３が点灯し被撮影者へ記録中であることを知らせることができる。
【００２０】
図２は本実施の形態を示す図であり、図２（ａ）は外観図、図２（ｂ）は断面図である。図２（２）において、２０１はレンズ、２０５はＬＣＤモニタ、２１１はフラッシュ照明装置、２１２はＬＥＤ照明装置、２１３は撮影中に点灯するタリーランプ装置、２１４はライトガイド検出部、４００は近接撮影用ライトガイド、４０１ａは採光部、４０３ａは磁石保持部である。近接撮影用ライトガイド４００をレンズ２０１前面に装着することにより、磁石保持部４０３ａとライトガイド検出部２１４が接続される。
【００２１】
図２（ｂ）において、４０３ａは磁石保持部、４０３ｂは磁石、２１４はライトガイド検出部、２１４ａはホール素子である。近接撮影用ライトガイド４００が装着されると、ホール素子２１４ａは磁石４０３ｂの磁束を電気信号に変換し、近接撮影用ライトガイド４００の装着を検出することができる。
【００２２】
図３は近接撮影用ライトガイド４００の基本構成を示す図であり、４０１はライトガイド、４０１ａは採光部、４０１ｂは照射部、４０２は前カバー、４０３は後カバー、５１２はＬＥＤ照明装置である。ＬＥＤ照明装置５１２の光は、採光部４０１ａから入射し、ライトガイド４０１内を導光され、照射部４０１ｂから射出する。ライトガイド部には光源や回路を内蔵していないので、小型化が可能であり、このため使用者にとって使い勝手が良い。また、着脱式であるため、ビデオカメラ本体が大型化することもない。
【００２３】
以下に、本実施の形態における動作を、図４のフローチャートと共に説明する。
図１において、ライトガイド検出部１１４で近接撮影用ライトガイドが装着されたことを検出すると（ステップＳ１）、制御マイコン１０６は以下のような指示を出す。すなわち、ＯＳＤ合成部１０４で近接撮影用ライトガイドの装着中であることの表示が合成され、ＬＣＤモニタ１０５上に表示が行われる（ステップＳ２）。
【００２４】
ここで、図５はＬＣＤモニタ１０５上への表示の例を示す図であり、画面上部に近接撮影用ライトガイドの装着中であることが表示されている。
一方、近接撮影時にはレンズが被写体に近づいているため、フラッシュ照明光が撮影範囲を均一に照明できなくなる。また、近接撮影では被写体にタリーランプの赤い光が反射して写りこむ問題がある。そこで、ＬＥＤ照明装置１１２へ発光の指示を出す（ステップＳ３）と同時に、フラッシュ照明装置１１１とタリーランプ装置１１３へは発光禁止の指示を出す（ステップＳ４）。これにより、ＬＥＤ照明装置以外が発光することによる問題を解決することができる。
【００２５】
また、ズームレンズではワイド側に近い範囲でのみ、近接にフォーカスが合う光学系を使用したものが多い。さらにフォーカス範囲を限定することにより、オートフォーカスの合焦スピードが早くなる。そこで、撮影レンズ群１０１に対しては、近接撮影に適したズーム範囲およびフォーカス範囲に変更するように指示を出す（ステップＳ５）。
【００２６】
さらに、ズームスイッチ１０９が操作されると（ステップＳ６）、制御マイコン３０６からは、近接撮影用のズーム範囲では撮影レンズ群１０１へズーム動作の指示が出される（ステップＳ７）。この場合、使用者が画像拡大のためにズームスイッチ１０９を望遠側に操作すると、ステップＳ５でズーム範囲が限定されているため、そのままでは一定の大きさ以上には画像の拡大を行うことができない。そこで、近接撮影用ズーム範囲の望遠端に達すると（ステップＳ８）、カメラ信号処理回路１０３に対して電子ズーム実行の指示が出される（ステップＳ９）。これにより、さらなる画像の拡大が可能になる。
【００２７】
以上の説明ではＬＥＤ照明は動画撮影用として説明を行ったが、発光量を制御することで、静止画撮影時にも使用可能である。図２（ａ）のフラッシュ照明装置２１１も、レンズ２０１との位置関係から、近接撮影では撮影範囲を均一に照明できない。そこで、リング状のライトガイドを使用したＬＥＤ照明を、静止画撮影に使用することで解決が可能である。
【００２８】
つぎに図６は、ライトガイド発光による静止画撮影の動作を説明するためのフローチャートである。
静止画撮影ＳＷが操作されると（ステップＳ１１）、ライトガイドが装着されているかどうかを検出する（ステップＳ１２）。そして、ライトガイド発光モード（ステップＳ１３）か、通常のフラッシュモード（ステップＳ１４）かを判断する。
【００２９】
ライトガイド発光モードの場合はＬＥＤ照明をプリ発光し（ステップＳ１３）、そのときの被写体からの反射光量を演算し（ステップＳ１６）、ＬＥＤ照明の本発光量を決定する（ステップＳ１７）。その後、ＬＥＤ本発光（ステップＳ１８）と静止画記録が実行される（ステップＳ１９）。これにより撮影範囲とのズレがなく、発光量も適正な照明が可能になる。
【００３０】
なお、以上の説明では光源をＬＥＤ照明に限定して説明したが、その他に蛍光管、白熱電球、ハロゲンランプなどの他の光源でもよい。
【図面の簡単な説明】
【００３１】
【図１】本発明の実施の形態における概略構成を示すブロック図である。
【図２】本発明の実施の形態における（ａ）は外観図、（ｂ）は断面図である。
【図３】本発明に係る近接撮影用ライトガイドの基本構成を示す図である。
【図４】本発明の実施の形態における動作を示すフローチャートである。
【図５】本発明に係るＬＣＤモニタ上への表示の例を示す図である。
【図６】本発明の実施の形態におけるライトガイド発光による静止画撮影の動作を説明するためのフローチャートである。
【図７】従来のビデオカメラの外観を示す図である。
【図８】近接撮影における撮影範囲と照明範囲のズレを説明するための図である。
【図９】従来の着脱方式のリング状発光装置を示す図である。
【図１０】従来の近接撮影用ライトガイド内蔵方式を示す図である。
【符号の説明】
【００３２】
１  カメラ本体、２  レンズ、３  フラッシュ発光部、４  反射板、５  ライトガイド、６  接眼部、１０１  撮影レンズ群、１０２  撮像素子、１０３  カメラ信号処理部、１０４  ＯＳＤ合成部、１０５はＬＣＤモニタ、１０６  制御用マイクロコンピュータ、１０７  記録部、１０８  操作スイッチ、１０９  ズームスイッチ、１１０  撮影記録スイッチ、１１１  フラッシュ照明装置、１１２  ＬＥＤ照明装置、１１３  タリーランプ装置、１１４  ライトガイド検出部、２０１  レンズ、２０５  ＬＣＤモニタ、２１１  フラッシュ照明装置、２１２  ＬＥＤ照明装置、２１３  タリーランプ装置、２１４  ライトガイド検出部、２１４ａ  ホール素子、３０１  撮影レンズ群、３０２  撮像素子、３０３  カメラ信号処理部、３０４  ＯＳＤ合成部、３０５  ＬＣＤモニタ、３０６  制御用マイクロコンピュータ、３０７  記録部、３０８  操作スイッチ、３０９  ズームスイッチ、３１０  撮影記録スイッチ、３１１  フラッシュ照明装置、３１２  ＬＥＤ照明装置、３１３  タリーランプ装置、４００  近接撮影用ライトガイド、４０１  ライトガイド、４０１ａ  採光部、４０１ｂ  照射部、４０２  前カバー、４０３  後カバー、４０３ａ  磁石保持部、４０３ｂは磁石、５０１  レンズ、５０５  ＬＣＤモニタ、５１１  フラッシュ照明装置、５１２  ＬＥＤ照明装置、５１３  タリーランプ、５２１  撮影範囲、５２２  照明範囲、６１０  カメラ本体、６１０ａ  レンズ鏡筒、６１１ａ  リング状発光装置、６１１ｂ  ライト本体、６１１ｃ  ケーブル。
【図１】
2006011264.tif 000003
【図２】
2006011264.tif 000004
【図３】
2006011264.tif 000005
【図４】
2006011264.tif 000006
【図５】
2006011264.tif 000007
【図６】
2006011264.tif 000008
【図７】
2006011264.tif 000009
【図８】
2006011264.tif 000010
【図９】
2006011264.tif 000011
【図１０】
2006011264.tif 000012